(57)【要約】【課題】鏡の機能及び照明機能を備え、光が様々に変化するランプミラー装置を提供する。【解決手段】光が様々に変化するランプミラー装置は、光を反射して像を映す鏡面領域２１１と、第１の光透過領域２１２と、制御領域２０とを有するパネル２１を有する鏡ベース２と、鏡ベース２上で、第１の光透過領域２１２に対応した箇所に取り付けられ、それぞれ異なる色を発光する３つのＬＥＤランプ３１１，３１２，３１３をそれぞれ有する複数のＬＥＤランプセット３１を有する第１のランプベース３と、鏡ベース２上で、制御領域２０に対応した箇所に取り付けられ、ＬＥＤランプセット３１を制御して異なる色の光を生成する制御回路基板とを備える。【選択図】図３
0003157710.tif 000002
【実用新案登録請求の範囲】
【請求項１】
光を反射して像を映す鏡面領域と、第１の光透過領域と、制御領域とを有するパネルを有する鏡ベースと、
前記鏡ベース上で、前記第１の光透過領域に対応した箇所に取り付けられ、それぞれ異なる色を発光する３つのＬＥＤランプをそれぞれ有する複数のＬＥＤランプセットを有する第１のランプベースと、
前記鏡ベース上で、前記制御領域に対応した箇所に取り付けられ、前記ＬＥＤランプセットを制御して異なる色の光を生成する制御回路基板と、を備えることを特徴とする、ランプミラー装置。
【請求項２】
前記鏡ベースの前記パネルは、第２の光透過領域を有し、
前記ランプミラー装置は、前記制御回路基板と電気的に接続され、前記第２の光透過領域に対応した第２のランプベースをさらに備え、
前記第２のランプベースは、異なる色で発光するＬＥＤランプをそれぞれ有する複数のＬＥＤランプセットを有することを特徴とする請求項１に記載のランプミラー装置。
【請求項３】
前記パネルの前記制御領域は、
前記第１のランプベース及び前記第２のランプベースの前記ＬＥＤランプをそれぞれ制御するランプスイッチ領域と、
前記ＬＥＤランプの輝度を制御する輝度調整領域と、
前記ＬＥＤランプセットの発光モードを制御する光モード切換領域と、を有することを特徴とする請求項２に記載のランプミラー装置。
【請求項４】
前記鏡ベースの前記パネルの背面に取り付け、前記制御回路基板と電気的に接続された曇り止めユニットをさらに備え、
前記パネルの前記制御領域は、前記曇り止めユニットを制御する曇り止め制御領域を有することを特徴とする請求項３に記載のランプミラー装置。
【請求項５】
前記鏡ベース上に取り付けられ、前記制御回路基板と電気的に接続された温度センサをさらに備え、
前記パネルの前記制御領域は、前記制御回路基板と電気的に接続され、前記温度センサが感知した温度を温度表示領域により表示することを特徴とする請求項１に記載のランプミラー装置。
【請求項６】
前記鏡ベース上に取り付けられ、前記制御回路基板と電気的に接続された湿度センサをさらに備え、
前記パネルの前記制御領域は、前記制御回路基板と電気的に接続され、前記湿度センサが感知した湿度を湿度表示領域により表示することを特徴とする請求項１に記載のランプミラー装置。
【考案の詳細な説明】
【技術分野】
【０００１】
本考案は、ランプミラー装置に関し、特に、鏡の機能及び照明機能を備え、光が様々に変化するランプミラー装置に関する。
【背景技術】
【０００２】
図１及び図２に示すように、従来の照明機能を備える鏡面構造１は、上方に設けた光透過領域１１１と、底部の隅に設けた制御領域１１２と、を有する矩形状の鏡ベース１１を含む。鏡面構造１は、光透過領域１１１に対応するように鏡ベース１１の背面に取り付けたＬＥＤランプ１２と、制御領域１１２に対応するように鏡ベース１１の背面に取り付けた回路基板１３とを含む。回路基板１３は、ＬＥＤランプ１２と電気的に接続されている。
【０００３】
従来の鏡面構造１は、回路基板１３によりＬＥＤランプ１２を駆動して発光させ、浴室照明として用いる。しかし、浴室の天井又は壁には、一般に照明設備がすでに設置されているため、鏡ベース１１上に照明機能を備えたＬＥＤランプ１２を配置して浴室照明として用いても、従来の鏡面構造１は、鏡ベース１１の周縁の輝度が高まるだけで、実際に得られる機能が明確でなかった。
【考案の概要】
【考案が解決しようとする課題】
【０００４】
本考案の目的は、鏡の機能及び照明機能を備え、光が様々に変化するランプミラー装置を提供することにある。
【課題を解決するための手段】
【０００５】
上記課題を解決するために、本考案の第１の形態によれば、光を反射して像を映す鏡面領域と、第１の光透過領域と、制御領域とを有するパネルを有する鏡ベースと、前記鏡ベース上で、前記第１の光透過領域に対応した箇所に取り付けられ、それぞれ異なる色を発光する３つのＬＥＤランプをそれぞれ有する複数のＬＥＤランプセットを有する第１のランプベースと、前記鏡ベース上で、前記制御領域に対応した箇所に取り付けられ、前記ＬＥＤランプセットを制御して異なる色の光を生成する制御回路基板と、を備える。
【０００６】
また、前記鏡ベースの前記パネルは、第２の光透過領域を有し、前記ランプミラー装置は、前記制御回路基板と電気的に接続され、前記第２の光透過領域に対応した第２のランプベースをさらに備え、前記第２のランプベースは、異なる色で発光するＬＥＤランプをそれぞれ有する複数のＬＥＤランプセットを有することが好ましい。
【０００７】
また、前記パネルの前記制御領域は、前記第１のランプベース及び前記第２のランプベースの前記ＬＥＤランプをそれぞれ制御するランプスイッチ領域と、前記ＬＥＤランプの輝度を制御する輝度調整領域と、前記ＬＥＤランプセットの発光モードを制御する光モード切換領域と、を有することが好ましい。
【０００８】
また、前記鏡ベースの前記パネルの背面に取り付け、前記制御回路基板と電気的に接続された曇り止めユニットをさらに備え、前記パネルの前記制御領域は、前記曇り止めユニットを制御する曇り止め制御領域を有することが好ましい。
【０００９】
また、前記鏡ベース上に取り付けられ、前記制御回路基板と電気的に接続された温度センサをさらに備え、前記パネルの前記制御領域は、前記制御回路基板と電気的に接続され、前記温度センサが感知した温度を温度表示領域により表示することが好ましい。
【００１０】
また、前記鏡ベース上に取り付けられ、前記制御回路基板と電気的に接続された湿度センサをさらに備え、前記パネルの前記制御領域は、前記制御回路基板と電気的に接続され、前記湿度センサが感知した湿度を湿度表示領域により表示することが好ましい。
【考案の効果】
【００１１】
本考案のランプミラー装置は、鏡の機能及び照明機能を備え、光を様々に変化させることができる。
【図面の簡単な説明】
【００１２】
【図１】従来の照明機能を備えた鏡面構造を示す正面斜視図である。
【図２】従来の照明機能を備えた鏡面構造を示す裏面斜視図である。
【図３】本考案の一実施形態によるランプミラー装置を示す正面図である。
【図４】本考案の一実施形態によるランプミラー装置を示す背面図である。
【考案を実施するための形態】
【００１３】
図３及び図４を参照する。図３及び図４に示すように、本考案の一実施形態によるランプミラー装置は、鏡ベース２と、鏡ベース２上に取り付けられた第１のランプベース３と、第２のランプベース３’と、曇り止めユニット４と、温度センサ５と、湿度センサ６と、制御回路基板７とを含む。
【００１４】
鏡ベース２の形状は、本実施形態では矩形であるが、他の実施形態では円形、楕円形、菱形又はその他の形状でもよい。鏡ベース２は、パネル２１と、パネル２１の周囲に設けた鏡フレーム２２とを含む。パネル２１は、背面に塗布された反射膜により光線を反射して像を映す鏡面領域２１１と、垂直に所定の間隔をおいて左右両側に配置され、鏡フレーム２２に隣接した第１の光透過領域２１２及び第２の光透過領域２１３と、下方に設けられた制御領域２０とを含む。本実施形態の第１の光透過領域２１２及び第２の光透過領域２１３は、完全に透明ではないすりガラス状でもよい。制御領域２０は、左側に設けられた湿度表示領域２０１と、右側に設けられたランプスイッチ領域２０２と、湿度表示領域２０１とランプスイッチ領域２０２との間に設けられた温度表示領域２０３と、曇り止め制御領域２０４と、輝度調整領域２０５と、光モード切換領域２０６とを含む。
【００１５】
本実施形態の第１のランプベース３及び第２のランプベース３’は、それぞれ鏡ベース２の背面に取り付けられている。第１のランプベース３は、鏡ベース２の第１の光透過領域２１２に対応する。第２のランプベース３’は、鏡ベース２の第２の光透過領域２１３に対応する。第１のランプベース３及び第２のランプベース３’は、それぞれ異なる色で発光するＬＥＤランプ３１１，３１２，３１３を有し、縦に配列された複数のＬＥＤランプセット３１を有する。本実施形態のＬＥＤランプ３１１，３１２，３１３は、それぞれ赤、青、緑の原色で発光する。そのため、上述した異なる色を有するＬＥＤランプ３１１，３１２，３１３のそれぞれの輝度を調整することにより、様々な色で発光させることができる。
【００１６】
本実施形態の曇り止めユニット４は、鏡ベース２の背面へ水平に設けた複数の曇り止め熱線４１を含む。温度センサ５及び湿度センサ６は、本実施形態では回路接続の利便性を考慮し、制御領域２０に隣接した鏡ベース２の底縁に取り付けられているが、他の実施形態では、鏡ベース２の他の箇所に取り付けてもよい。
【００１７】
本実施形態の制御回路基板７は、鏡ベース２の背面で、制御領域２０に対応した箇所に取り付けられている。制御回路基板７は、曇り止め熱線４１、温度センサ５、湿度センサ６及びランプベース３，３’と電気的に接続され、ランプベース３，３’の中の全てのＬＥＤランプ３１１，３１２，３１３を駆動し、輝度を制御することができる。
【００１８】
一般の状況下では、温度表示領域２０３及び湿度表示領域２０１は、制御回路基板７を介し、温度センサ５及び湿度センサ６とそれぞれ電気的に接続され、ランプミラー装置周辺の温度を温度表示領域２０３により表示し、ランプミラー装置周辺の湿度を湿度表示領域２０１により表示する。ユーザがランプスイッチ領域２０２を操作すると、制御回路基板７の自動制御により、ランプベース３，３’の中の全てのＬＥＤランプ３１１，３１２，３１３の発光が様々に変化し続け、１５８種類の色と光の組み合わせを得ることができる。本実施形態では、輝度調整領域２０５を連続して押圧すると、ランプの輝度を４段階で循環変化させることができる。本実施形態の光モード切換領域２０６は、ランプの光が次々に変化する動態循環モード、又はランプ光が固定されて変化しない静態定色モードに切換えるために用いる。即ち、本実施形態では、ランプスイッチ領域２０２を利用してＬＥＤランプ３１１，３１２，３１３をオンすると、光が自動的に様々に変化し、光を所定の色系に固定する際は、光モード切換領域２０６で制御して光の色を固定し、ランプミラー装置の周囲の環境照明を向上させることができる。さらに、ランプ光を動態循環モードに回復させるときは、光モード切換領域２０６を操作するだけでモードを簡単に切換えることができる。
【００１９】
上述の実施形態から分かるように、本考案のランプミラー装置は、鏡の機能及び照明機能を備え、光を様々に変化させることができる。
【００２０】
当該分野の技術を熟知するものが理解できるように、本考案の好適な実施形態を前述の通り開示したが、これらは決して本考案を限定するものではない。本考案の主旨と領域を脱しない範囲内で各種の変更や修正を加えることができる。従って、本考案の実用新案登録請求の範囲は、このような変更や修正を含めて広く解釈されるべきである。
【符号の説明】
【００２１】
１  鏡面構造
２  鏡ベース
３  第１のランプベース
３’  第２のランプベース
４  曇り止めユニット
５  温度センサ
６  湿度センサ
７  制御回路基板
１１  鏡ベース
１２  ＬＥＤランプ
１３  回路基板
２０  制御領域
２１  パネル
２２  鏡フレーム
３１  ＬＥＤランプセット
４１  曇り止め熱線
１１１  光透過領域
１１２  制御領域
２０１  湿度表示領域
２０２  ランプスイッチ領域
２０３  温度表示領域
２０４  曇り止め制御領域
２０５  輝度調整領域
２０６  光モード切換領域
２１１  鏡面領域
２１２  第１の光透過領域
２１３  第２の光透過領域
３１１  ＬＥＤランプ
３１２  ＬＥＤランプ
３１３  ＬＥＤランプ
【図１】
0003157710.tif 000003
【図２】
0003157710.tif 000004
【図３】
0003157710.tif 000005
【図４】
0003157710.tif 000006